(57)【要約】      （修正有）【課題】赤外線操作信号の有効転送距離を従来より向上できる赤外線発射装置及び該赤外線発射装置を用いる赤外線発射システムを提供する。【解決手段】少なくとも１つの赤外線エミッタを有する赤外線発射装置１であって、赤外線エミッタは、発光端２１１から射出端２１２へ開口の幅が広がっていくように椀状に形成されていて所定の収容空間２１３を囲んでいる反射手段２１と、反射手段２１により囲まれるように収容空間２１３内における発光端２１１寄りの位置に配置されている赤外線発光素子２２と、反射手段２１の射出端２１２に取り付けられている集光レンズ２３と、を有する。【選択図】図３
0003193029.tif 000002
【実用新案登録請求の範囲】
【請求項１】
少なくとも１つの赤外線エミッタを有する赤外線発射装置であって、
前記赤外線エミッタは、発光端から射出端へと開口の幅が広がっていくように椀状に形成されていて所定の収容空間を囲んでいる反射手段と、前記反射手段により囲まれるように前記収容空間内における前記発光端寄りの位置に配置されている赤外線発光素子と、前記反射手段の前記射出端に取り付けられている集光レンズと、を有することを特徴とする赤外線発射装置。
【請求項２】
前記赤外線エミッタを複数有する上、前記複数の赤外線エミッタを支持する板状支持フレームをも有し、
各前記赤外線エミッタがそれぞれ有する前記反射手段は、それぞれが有する前記射出端が前記板状支持フレームと一体的に形成されて全て同一の所定方向に向って開口すると共に、前記発光端が前記板状支持フレームから前記所定方向の反対側に向かって突起するように形成されていることを特徴とする請求項１に記載の赤外線発射装置。
【請求項３】
前記板状支持フレームに、各前記赤外線エミッタがそれぞれ有する前記集光レンズを対応する前記反射手段に押し付けて固定するサポート枠が取り付けられていることを特徴とする請求項２に記載の赤外線発射装置。
【請求項４】
各前記赤外線エミッタがそれぞれ有する前記反射手段の前記発光端を一斉に収容すると共に、前記板状支持フレームに固定されているハウジングを更に有することを特徴とする請求項１〜請求項３のいずれか一項に記載の赤外線発射装置。
【請求項５】
前記ハウジング内に、各前記赤外線エミッタがそれぞれ有する前記赤外線発光素子と電気的に接続されて各前記赤外線発光素子を制御する回路基板が収容されており、
各前記赤外線エミッタがそれぞれ有する前記赤外線発光素子は、前記反射手段の前記発光端を挿通する発光部と、前記発光部から前記回路基板まで延在するように取り付けられている接電ピンと、を有することを特徴とする請求項４に記載の赤外線発射装置。
【請求項６】
請求項５に記載の赤外線発射装置を複数有すると共に、各前記赤外線発射装置がそれぞれ有する前記板状支持フレームが異なる方向に向かうように支持する柱状の支持手段を備えていることを特徴とする赤外線発射システム。
【請求項７】
各前記赤外線発射装置が有する前記ハウジングに、複数の前記板状支持フレームがそれぞれ互いに異なる方向に向かうように固定されていることを特徴とする請求項６に記載の赤外線発射システム。
【考案の詳細な説明】
【技術分野】
【０００１】
本考案は、赤外線発射装置及び該赤外線発射装置を用いる赤外線発射システムに関し、特に赤外線操作信号の有効転送距離を向上できる赤外線発射装置及び該赤外線発射装置を用いる赤外線発射システムに関する。
【背景技術】
【０００２】
従来、赤外線で操作信号を送信するリモコンを用いて、電気製品を遠隔操作することは一般的である。しかし、従来の電気製品を操作するためのリモコンに搭載される赤外線発射装置は、集光手段を欠いているため、リモコンと電気製品に搭載される赤外線受信機との距離が２０メートル程度を超えると、赤外線操作信号が途中で発散してしまい、受信機が赤外線操作信号を認識できなくなって、該電気製品を操作することができなくなるという欠点を持っている。このように、従来の赤外線発射装置を搭載するリモコンは、有効転送距離が短くおよそ２０メートルしかないので、例えばライブ会場や大型会議室など広い場所には不向きである。
【考案の概要】
【考案が解決しようとする課題】
【０００３】
上記問題点に鑑みて、本考案は、赤外線操作信号の有効転送距離を従来より向上できる赤外線発射装置及び該赤外線発射装置を用いる赤外線発射システムの提供を目的とする。
【課題を解決するための手段】
【０００４】
上記目的を達成すべく、本考案は、少なくとも１つの赤外線エミッタを有する赤外線発射装置であって、前記赤外線エミッタは、発光端から射出端へと開口の幅が広がっていくように椀状に形成されていて所定の収容空間を囲んでいる反射手段と、前記反射手段により囲まれるように前記収容空間内における前記発光端寄りの位置に配置されている赤外線発光素子と、前記反射手段の前記射出端に取り付けられている集光レンズと、を有することを特徴とする赤外線発射装置を提供する。
【０００５】
上記赤外線発射装置において、前記赤外線エミッタを複数有する上、前記複数の赤外線エミッタを支持する板状支持フレームをも有し、各前記赤外線エミッタがそれぞれ有する前記反射手段は、それぞれが有する前記射出端が前記板状支持フレームと一体的に形成されて全て同一の所定方向に向って開口すると共に、前記発光端が前記板状支持フレームから前記所定方向の反対側に向かって突起するように形成されていることが好ましい。
【０００６】
上記赤外線発射装置において、前記板状支持フレームに、各前記赤外線エミッタがそれぞれ有する前記集光レンズを対応する前記反射手段に押し付けて固定するサポート枠が取り付けられていることが好ましい。
【０００７】
上記赤外線発射装置において、各前記赤外線エミッタがそれぞれ有する前記反射手段の前記発光端を一斉に収容すると共に、前記板状支持フレームに固定されているハウジングを更に有することが好ましい。
【０００８】
上記赤外線発射装置において、前記ハウジング内に、各前記赤外線エミッタがそれぞれ有する前記赤外線発光素子と電気的に接続されて各前記赤外線発光素子を制御する回路基板が収容されており、各前記赤外線エミッタがそれぞれ有する前記赤外線発光素子は、前記反射手段の前記発光端を挿通する発光部と、前記発光部から前記回路基板まで延在するように取り付けられている接電ピンとを有することが好ましい。
【０００９】
また、本考案は、上記の赤外線発射装置を複数有すると共に、各前記赤外線発射装置がそれぞれ有する前記板状支持フレームが異なる方向に向かうように支持する柱状の支持手段を備えていることを特徴とする赤外線発射システムを提供する。
【００１０】
上記赤外線発射システムにおいて、各前記赤外線発射装置が有する前記ハウジングに、複数の前記板状支持フレームがそれぞれ互いに異なる方向に向かうように固定されていることが好ましい。
【考案の効果】
【００１１】
上記の構成によれば、本考案の赤外線発射装置を用いて赤外線を発射すると、赤外線が集光レンズ及び反射手段により収束されるので、従来の赤外線発射装置で発射する赤外線より発散しにくく、送信可能距離を大幅に向上できる。
【図面の簡単な説明】
【００１２】
【図１】本考案に係る赤外線発射装置の好ましい実施形態を示す斜視図である。
【図２】本考案に係る赤外線発射装置の好ましい実施形態を示す分解斜視図である。
【図３】本考案に係る赤外線発射装置の好ましい実施形態を示す断面図である。
【図４】本考案に係る赤外線発射装置の好ましい実施形態において、赤外線の進行経路を示す局部断面図である。
【図５】本考案に係る赤外線発射装置を用いる赤外線発射システムの好ましい実施形態を示す正面図である。
【考案を実施するための形態】
【００１３】
以下は添付の図面を参照しながら、本考案の好ましい実施形態について説明する。
【００１４】
本考案の赤外線発射装置１の好ましい実施形態は、図１と図２に示されるように、複数の赤外線エミッタ２と、複数の赤外線エミッタ２を支持する板状支持フレーム１１と、板状支持フレーム１１の一面に固定されているハウジング１２と、板状支持フレーム１１の上記の一面の反対面に取り付けられているサポート枠１３と、を有するように構成されている。
【００１５】
各赤外線エミッタ２は、図２に示されるように、赤外線を反射させるための反射手段２１と、赤外線を発するための赤外線発光素子２２と、赤外線を収束するための集光レンズ２３と、により構成されるものである。
【００１６】
図３に示されるように、反射手段２１は、図中の右側にある発光端２１１から左側にある射出端２１２へ、開口２１４の幅が広がっていくように椀状に形成されていると共に、所定の収容空間２１３を囲むように形成されている。また、反射手段２１の収容空間２１３に向かう表面は、赤外線を反射することができるように、鏡面加工が施されている。
【００１７】
この実施形態において、各赤外線エミッタ２がそれぞれ有する反射手段２１は、それぞれが有する射出端２１２が板状支持フレーム１１と一体的に形成されて全て同一の所定方向（図３における左側）に向って開口すると共に、発光端２１１が板状支持フレーム１１から上記の所定方向の反対側（図３における右側）に向かって突起するように形成され、板状支持フレーム１１に固定されているハウジング１２により収容されている。
【００１８】
図２及び図３に示されるように、赤外線発光素子２２は、反射手段２１の発光端２１１を挿通して収容空間２１３内で射出端２１２に向かって発光する発光部２２１と、導電性があって発光部２２１からハウジング１２内に固定されている回路基板１２１まで延在して発光部２２１と回路基板１２１とを電気的に接続する接電ピン２２２と、を有している。この実施形態において、発光部２２１は、赤外線を発射できるＬＥＤモジュールである。
【００１９】
各集光レンズ２３は、平凸レンズであり、該平凸レンズの平面２３１が赤外線発光素子２２に面し、該平凸レンズの凸面２３２が上記の所定方向に向かうように、反射手段２１の開口２１４から収容空間２１３に嵌め込まれて取り付けられている。なお、集光レンズ２３は、平凸レンズに限定されず、両凸レンズなど集光機能を具えたレンズであれば、使用することができる。
【００２０】
ハウジング１２は、上記のように各反射手段２１の発光端２１１及び回路基板１２１を収容する他、各赤外線エミッタ２及び回路基板１２１に電力を提供する電池１２２もハウジング１２内に収容されている。
【００２１】
回路基板１２１は、各赤外線発光素子２２の接電ピン２２２及び電池１２２に電気的に接続されていて、各赤外線発光素子２２を制御し、例えば赤外線発光素子２２を点滅するように制御し、その明滅パルスをキャリアとして二進符号化された操作信号を発信するように構成されたものであり、例えば照明具やテレビなどの電気製品を遠隔操作することができる。
【００２２】
サポート枠１３は、図２に示されるように、各赤外線エミッタ２の位置に対応する複数の固定孔１３１を有し、板状支持フレーム１１に取り付けると、各集光レンズ２３を各固定孔１３１の周縁で対応の反射手段２１に押し付けて固定することができる。更に、図２に示されるように、この実施形態において、各集光レンズ２３の凸面２３２はサポート枠１３の固定孔１３１から突起するようになっているので、サポート枠１３には、各固定孔１３１の周縁から上記の所定方向（図中の左側）へ突起する保護リング１３２が形成されている。
【００２３】
上記の構成によれば、図４に示されるように、赤外線発光素子２２から発された赤外線の一部は、反射手段２１により集光レンズ２３に向かって反射されて、集光レンズ２３により収束されて赤外線エミッタ２から射出され、集光レンズ２３に向って直接発された赤外線は、集光レンズ２３により収束されて赤外線エミッタ２から射出される。従って、本考案の赤外線発射装置を用いて操作信号のキャリアとして赤外線を発射すると、その赤外線が反射手段２１及び集光レンズ２３により収束され、従来の赤外線発射装置で発射する赤外線より発散しにくく、赤外線操作信号の有効転送距離を約１５０ｍ〜２００ｍ程度まで伸ばし、ライブ会場や大型会議室などの広い場所で使用しても、その会場や会議室に配置される照明や音響システム、または観客が持っているペンライトを遠隔操作することができ、それらの設備を制御するためのケーブル配線を省くことができる。
【００２４】
また、本考案の赤外線発射システムの好ましい実施形態は、図５に示されるように、本考案の赤外線発射装置１を複数有している上に、更に柱状の支持手段３を有している。
【００２５】
柱状の支持手段３は、垂直方向に延在する柱本体３１と、柱本体３１の地面寄りの一端にあり、地面などの平面に固定するための固定部３２と、柱本体３１の上記の一端の反対端にあり、天井など取り付け可能の物体に固定または吊り下げるための環状部３３と、からなるものである。
【００２６】
そして、複数の赤外線発射装置１は、それぞれ互いに異なる方向に向かって赤外線を発射することができるように、垂直面において円弧状に並ぶようにして、一つの赤外線発射具４を構成し、そして、複数の赤外線発射具４が柱本体３１を囲むように取り付けられている。
【００２７】
また、この実施形態において、柱本体３１は上半部と下半部に分かれて、それぞれの半部が１２個の赤外線発射具４に囲まれている。これら１２個の赤外線発射器具４は、３つずつに分かれて、４組の赤外線発射セット５に構成されている。それぞれの組の赤外線発射セット５は、３つの赤外線発射器具４がそれぞれ互いに異なる方向に向かって赤外線を発射するように、水平面において円弧状をなすように並んで構成されている。そして、４個の赤外線発射セット５が互いに略直交する四方向から柱本体３１の半部を囲み、更に、柱本体３１の上半部及び柱本体３１の下半部を囲んでいる８組の赤外線発射セット５は、それぞれ水平面において互いに異なる方向に向けられている。
【００２８】
上記の構成によれば、本考案の赤外線発射システムには、複数の本考案の赤外線発射装置が、水平面及び垂直面において隈なく赤外線を発射することができるので、同時に多数の電気製品を操作でき、例えばライブ会場で観客が持っているすべてのペンライトに赤外線操作信号を送信して、同時にすべてのペンライトの色を変えることができる。
【産業上の利用可能性】
【００２９】
本考案は赤外線発射装置及び該赤外線発射装置を用いる赤外線発射システムの赤外線操作信号の有効転送距離が約１５０ｍ〜２００ｍに向上したので、ライブ会場や大型会議室などの広い場所で使用することに好適であり、また、同時に多数の電気製品を操作することが必要とされる広い場所で使用することに更に好適である。
【符号の説明】
【００３０】
１  赤外線発射装置
２  赤外線エミッタ
３  柱状の支持手段
４  赤外線発射具
５  赤外線発射セット
１１  板状支持フレーム
１２  ハウジング
１３  サポート枠
２１  反射手段
２２  赤外線発光素子
２３  集光レンズ
３１  柱本体
３２  固定部
３３  環状部
１２１  回路基板
１２２  電池
１３１  固定孔
１３２  保護リング
２１１  発光端
２１２  射出端
２１３  収容空間
２１４  開口
２２１  発光部
２２２  接電ピン
２３１  平面
２３２  凸面
【図１】
0003193029.tif 000003
【図２】
0003193029.tif 000004
【図３】
0003193029.tif 000005
【図４】
0003193029.tif 000006
【図５】
0003193029.tif 000007